(57)【要約】【課題】  所定の操作が行われた前後に連続して取得された複数の画像の確認に要する手間を軽減することを目的とする。【解決手段】  第１の操作及び第２の操作が可能な操作部材と、複数の画像を所定間隔で連続して取得する撮像部と、前記第１の操作と前記第２の操作を検知し、前記第１の操作を検知してから前記撮像部での画像の取得を開始し、前記第２の操作を検知してから所定時間が経過した後に前記撮像部での画像の取得を終了する制御部と、前記複数の画像のうち、前記第２の操作が行われた前後に取得された画像を、前記画像の取得を開始してから前記第２の操作が検知されるまでの時間と前記所定時間との比に基づいて抽出する抽出部と、前記所定間隔よりも長い間隔で、前記抽出部により抽出された画像を連続して再生する再生部とを備える撮像装置。【選択図】      図１
2010192958.tif 000002
【特許請求の範囲】
【請求項１】
第１の操作及び第２の操作が可能な操作部材と、
複数の画像を所定間隔で連続して取得する撮像部と、
前記第１の操作と前記第２の操作を検知し、前記第１の操作を検知してから前記撮像部での画像の取得を開始し、前記第２の操作を検知してから所定時間が経過した後に前記撮像部での画像の取得を終了する制御部と、
前記複数の画像のうち、前記第２の操作が行われた前後に取得された画像を、前記画像の取得を開始してから前記第２の操作が検知されるまでの時間と前記所定時間との比に基づいて抽出する抽出部と、
前記所定間隔よりも長い間隔で、前記抽出部により抽出された画像を連続して再生する再生部と
を備えることを特徴とする撮像装置。
【請求項２】
請求項１に記載の撮像装置において、
前記再生部は、前記第２の操作が検知される前に取得された画像を再生するための時間と前記第２の操作が検知された後に取得された画像を再生するための時間との比が、前記画像の取得を開始してから前記第２の操作が検知されるまでの時間と前記所定時間との比になるように再生する
ことを特徴とする撮像装置。
【請求項３】
請求項１又は請求項２に記載の撮像装置において、
前記再生部は、前記抽出部で抽出された画像以外の前記撮像部で取得された画像を再生することが可能であり、
前記再生部は、前記抽出部で抽出された画像を再生する際の再生間隔と、前記抽出部で抽出された画像以外の画像を再生する際の再生間隔とを異ならせて再生する
ことを特徴とする撮像装置。
【請求項４】
請求項３に記載の撮像装置において、
前記再生部は、前記抽出部で抽出された画像以外の画像を再生する際の再生間隔を前記所定間隔と同一、又は前記所定間隔よりも短くする
ことを特徴とする撮像装置。
【請求項５】
請求項１から請求項４までのいずれか１項に記載の撮像装置において、
前記画像の取得を開始してから前記第２の操作が検知されるまでの時間と、前記所定時間とを設定する設定部をさらに備える
ことを特徴とする撮像装置。
【請求項６】
請求項１から請求項５までのいずれか１項に記載の撮像装置において、
前記操作部材は、レリーズボタンであり、前記第１の操作は、前記レリーズボタンの半押し操作であり、前記第２の操作は、前記レリーズボタンの全押し操作である
ことを特徴とする撮像装置。
【発明の詳細な説明】
【技術分野】
【０００１】
本発明は、画像を取得する撮像装置に関する。
【背景技術】
【０００２】
近年、撮像素子の高速化やメモリの大容量化により、連写速度や記録画像枚数が飛躍的に向上している。例えば、フレームレート６０ｆｐｓで記録時間５秒の連写撮影の場合、１回の連写撮影において、３００枚の画像が取得される。ところが、大量の連写画像を取得した場合、再生時の画像確認に時間を要してしまうという問題があった。この問題に対して、レリーズボタンの全押し操作が行われた時点から時間的に離れた区間の画像を間引くことで、全体の撮影枚数を減らす撮像装置が知られている（特許文献１など）。このような撮像装置で得られた画像を再生する際、擬似的にレリーズボタンの全押し操作が行われた前後の画像はスロー再生となり、その他の画像は早送り再生となるので、結果的に画像確認に要する時間を短縮することができる。
【発明の概要】
【発明が解決しようとする課題】
【０００３】
ところが、全押し操作が行われた前後の画像を取得するパスト連写撮影において、全押し操作が行われた前後に得られた画像が必ずしもユーザが所望する構図とは限らない。例えば、ユーザが予めパスト連写撮影を行うことを認識していれば、ユーザが所望する構図に合わせてレリーズボタンを全押し操作する必要はなく、所望する構図を確認してから、レリーズボタンを全押し操作すれば良い。このような場合、全押し操作が行われる少し前がユーザの撮影したい時間となる。そのため、ユーザが所望する構図の画像がスロー再生されず、再度、再生をやり直すなど、かえって確認に時間を要してしまう問題があった。
【０００４】
そこで、本発明の撮像装置は、所定の操作が行われた前後に連続して取得された複数の画像の確認に要する手間を軽減することを目的とする。
【課題を解決するための手段】
【０００５】
本発明の撮像装置は、第１の操作及び第２の操作が可能な操作部材と、複数の画像を所定間隔で連続して取得する撮像部と、前記第１の操作と前記第２の操作を検知し、前記第１の操作を検知してから前記撮像部での画像の取得を開始し、前記第２の操作を検知してから所定時間が経過した後に前記撮像部での画像の取得を終了する制御部と、前記複数の画像のうち、前記第２の操作が行われた前後に取得された画像を、前記画像の取得を開始してから前記第２の操作が検知されるまでの時間と前記所定時間との比に基づいて抽出する抽出部と、前記所定間隔よりも長い間隔で、前記抽出部により抽出された画像を連続して再生する再生部とを備える。
【０００６】
なお、前記再生部は、前記第２の操作が検知される前に取得された画像を再生するための時間と前記第２の操作が検知された後に取得された画像を再生するための時間との比が、前記画像の取得を開始してから前記第２の操作が検知されるまでの時間と前記所定時間との比になるように再生しても良い。
【０００７】
また、前記再生部は、前記抽出部で抽出された画像以外の前記撮像部で取得された画像を再生することが可能であり、前記再生部は、前記抽出部で抽出された画像を再生する際の再生間隔と、前記抽出部で抽出された画像以外の画像を再生する際の再生間隔とを異ならせて再生しても良い。
【０００８】
また、前記再生部は、前記抽出部で抽出された画像以外の画像を再生する際の再生間隔を前記所定間隔と同一、又は前記所定間隔よりも短くしても良い。
【０００９】
また、前記画像の取得を開始してから前記第２の操作が検知されるまでの時間と、前記所定時間とを設定する設定部をさらに備えても良い。
【００１０】
また、前記操作部材は、レリーズボタンであり、前記第１の操作は、前記レリーズボタンの半押し操作であり、前記第２の操作は、前記レリーズボタンの全押し操作であっても良い。
【発明の効果】
【００１１】
本発明の撮像装置によれば、第２の操作が行われた前後に連続して取得された複数の画像の確認に要する手間を軽減することができる。
【図面の簡単な説明】
【００１２】
【図１】本発明の実施形態における撮像装置１の構成を示すブロック図である。
【図２】パスト連写モードを示す図である。
【図３】従来の撮像装置におけるパスト連写モードにより取得された画像の再生方法を示す図である。
【図４】本実施形態の撮像装置１におけるパスト連写モードにより取得された画像の再生方法を示す図である。
【図５】本実施形態の撮像装置１におけるパスト連写モードにより取得された画像の再生時の流れを示すフローチャートである。
【発明を実施するための形態】
【００１３】
以下、図面を用いて本発明の実施形態について説明する。図１は、本発明の実施形態における撮像装置１の構成を示すブロック図である。なお、撮像装置１は、１回のレリーズ操作により１枚の画像を取得する通常撮影モードの他に、１回のレリーズ操作により複数の画像を取得するパスト連写モードを備える。パスト連写モードについては後述する。図１に示すように、撮像装置１は、撮像レンズ２、撮像素子３、Ａ／Ｄ変換部４、バッファメモリ５、画像処理部６、制御部７、表示部８、操作部９、記録Ｉ／Ｆ部１０、記録媒体１１、バス１２を備える。
【００１４】
撮像レンズ２は、撮像素子３の撮像面に被写体像を結像する。なお、撮像レンズ２の他に、ズームレンズやフォーカスレンズなどの複数のレンズからなる撮像光学系であっても良い。撮像素子３は、撮像レンズ２を通過した被写体光を光電変換し、Ｒ、Ｇ、Ｂの各色に対応するアナログ画像信号を出力する。
【００１５】
撮像素子３から出力される画像信号は、Ａ／Ｄ変換部４に入力される。Ａ／Ｄ変換部４は、撮像素子３から出力されるアナログ画像信号をＡ／Ｄ変換し、デジタル画像信号に変換する。なお、このデジタル画像信号は、１コマにまとめられ、画像データとしてバッファメモリ５に記録される。バッファメモリ５は、画像処理部６による画像処理の前工程や後工程で画像データを一時的に記憶する。
【００１６】
画像処理部６は、バッファメモリ５に記憶された画像データに対して画像処理を行う。この画像処理としては、周知のホワイトバランス調整、色補間、階調変換処理、輪郭強調処理などが挙げられる。この画像処理部６は、上述した画像処理が施された画像データに対して、ＪＰＥＧ（Joint Photographic Experts Group）形式などで圧縮する処理や、圧縮された上記のデータを伸長復元する処理をも実行する。
【００１７】
制御部７は、所定のシーケンスプログラムにしたがって、撮像装置１の統括的な制御を行うとともに、ＡＥ処理やＡＦ処理などを行う。また、制御部７は、抽出部２１の機能を有している。抽出部２１は、パスト連写モードにより取得された画像のうち、レリーズ釦２２の全押し操作が行われた前後に取得された画像を、全押し操作が行われる前の撮影時間と全押し操作が行われた後の撮影時間との比に基づいて抽出する。
【００１８】
表示部８は、制御部７の制御により各種の画像を表示する。表示部８に表示される各種の画像は、撮影により取得された画像、記録媒体１１に記録された画像、メニュー画像などを含む。また、表示部８は、パスト連写モードにより取得された画像を全て表示することが可能である。このとき、表示部８は、レリーズ釦２２の全押し操作が行われた前後に取得された画像をスロー再生し、残りの画像を早送り再生する。スロー再生及び早送り再生については後述する。
【００１９】
操作部９は、レリーズ釦２２、十字キー２３などを有する。レリーズ釦２２は、撮像指示を受け付ける。また、レリーズ釦２２は、操作量に応じて半押し操作及び全押し操作が可能である。十字キー２３は、上記のメニュー画像等での入力を受け付ける。レリーズ釦２２、十字キー２３の状態は、制御部７により検知され、検知された釦の状態に基づいたシーケンスが実行される。記録Ｉ／Ｆ部１０は、記録媒体１１を接続するためのコネクタを備えている。この記録Ｉ／Ｆ部１０と記録媒体１１とが接続されることにより、記録媒体１１に対してデータの書き込み／読み出しを実行する。バス１２は、バッファメモリ５、画像処理部６、制御部７、表示部８、記録Ｉ／Ｆ部１０を相互に接続することにより、データや信号の出入力を実行する。
【００２０】
ここで、パスト連写モードについて説明する。パスト連写モードは、レリーズ釦２２の半押し操作を受けて撮影を開始し、レリーズ釦２２の全押し操作を受けてから所定時間が経過した後に撮影を終了するととともに、撮影の開始から終了までの間に、所定のフレームレートで画像を連続して取得するモードである。なお、パスト連写モードにおいて、撮像装置１は、レリーズ釦２２の半押し操作に併せて撮影を開始しても良いし、レリーズ釦２２が半押し操作されてから、所定時間が経過した後に撮影を開始しても良い。以下、レリーズ釦２２の半押し操作に併せて撮影を開始する例を説明する。図２は、パスト連写モードを示す図である。なお、図２の横軸は時間を示す。また、撮影間隔をＴ秒とする。
【００２１】
パスト連写モードにおいて、撮像装置１は、まず、十字キー２３を介して、レリーズ釦２２の全押し操作が行われた時を基準として、全押し操作が行われる前の撮影時間、及び全押し操作が行われた後の撮影時間の設定を受け付ける。これは、パスト連写モードにおける撮影時のフレームレート及びバッファメモリ５の容量から取得可能な連写枚数が限られているためである。レリーズ釦２２の半押し操作が行われると、撮像素子３は、画像信号の出力を開始する。バッファメモリ５は、画像データを循環的に一時記憶する。なお、バッファメモリ５の空き容量がなくならないように、バッファメモリ５に記憶された画像データの容量が閾値以上になった場合には、古い画像データから順に消去される。
【００２２】
図２では、レリーズ釦２２の全押し操作が行われる前の撮影時間がＴ×Ｘ秒、全押し操作が行われた後の撮影時間がＴ×Ｙ秒になるように設定された例を示す。この場合、最終的には、レリーズ釦２２の全押し操作が行われる前に取得されたＸ枚の画像、及びレリーズ釦２２の全押し操作が行われた後に取得されたＹ枚の画像が記録媒体１１に記録される。したがって、パスト連写モードによれば、ユーザにより設定された撮影時間で、レリーズ釦２２の全押し操作が行われた前後の画像を取得するため、ユーザが所望する構図の画像を撮り逃がすことなく撮影することができる。
【００２３】
次に、パスト連写モードにより取得された画像の再生について説明する。以下、スロー再生とは、パスト連写モード時の撮影間隔よりも長い間隔からなる再生間隔で、画像を連続して再生することを示す。また、早送り再生とは、パスト連写モード時の撮影間隔よりも短い間隔からなる再生間隔で、画像を連続して再生することを示す。
【００２４】
例えば、フレームレート１２０ｆｐｓで撮影されたパスト連写の画像を、フレームレート３０ｆｐｓで表示可能な表示部８において間引きせずに再生する場合、撮影時の１秒間当たり１２０枚の画像を再生するのに、４秒間必要となり、１／４倍速のスロー再生となる。一方、フレームレート１２０ｆｐｓで撮影されたパスト連写の画像を間引いて１５ｆｐｓ相当にし、フレームレート３０ｆｐｓで表示可能な表示部８で再生する場合、撮影時の１秒間当たり１５枚の画像を再生するのに、０．５秒間必要であり、２倍速の早送り再生となる。本実施形態では、以上のようにして、スロー再生を１／４倍速再生、早送り再生を２倍速再生とする。
【００２５】
図３は、従来の撮像装置におけるパスト連写モードにより取得された画像の再生方法を示す図である。なお、従来の撮像装置は、本実施形態の撮像装置１と同様のパスト連写モードを備えることを前提とする。図３（Ａ）は、レリーズ釦の全押し操作が行われる前の撮影時間Ｔ１と、レリーズ釦の全押し操作が行われた後の撮影時間Ｔ２とがほぼ同じである場合を示している。図３（Ｂ）は、レリーズ釦の全押し操作が行われる前の撮影時間Ｔ３が、レリーズ釦の全押し操作が行われた後の撮影時間Ｔ４よりも長い場合を示す。
【００２６】
従来の撮像装置は、レリーズ釦の全押し操作が行われた前後の一定時間をスロー再生して、他の時間は早送り再生する。図３（Ａ）の例では、レリーズ釦の全押し操作が行われる前に取得された画像は、Ｓ１：Ｓ２≒１：１になるようにスロー再生される。これは、全押し操作が行われた前後に得られた画像は、ユーザが所望する構図であろうという推測のもと設定されている。しかしながら、パスト連写モードでは、レリーズ釦の全押し操作が行われた前後に得られた画像が必ずしもユーザが所望する構図とは限らない。例えば、予めユーザがパスト連写モードにより撮影を行うことを認識していれば、所望する構図に合わせてレリーズ釦を全押し操作する必要がなく、所望する構図を確認後、全押し操作する撮影方法が考えられる。この場合、ユーザは、レリーズ釦の全押し操作が行われた後の撮影時間Ｔ４よりも、レリーズ釦の全押し操作が行われる前の撮影時間Ｔ３を長くして撮影することが考えられる。すなわち、ユーザが所望する構図の画像は、レリーズ釦の全押し操作が行われた時点から離れた時点で取得されたと考えられる。このような状況で、上記と同様にＳ１：Ｓ２≒１：１になるようにスロー再生した場合、図３（Ｂ）に示すように、ユーザが所望する構図の画像がスロー再生されず、早送り再生されてしまう。そのため、再度、再生をやり直すなどかえって確認に手間がかかるという可能性がある。
【００２７】
そこで、本実施形態の撮像装置１は、スロー再生する画像を選択する際に、レリーズ釦２２の全押し操作が行われる前に取得された画像の枚数と、レリーズ釦２２の全押し操作が行われた後に取得された画像の枚数との比になるように、レリーズ釦２２の全押し操作が行われた前後の画像を抽出する。すなわち、撮像装置１は、図４に示すように、レリーズ釦２２の全押し操作が行われる前の撮影時間ＴＡと、レリーズ釦２２の全押し操作が行われた後の撮影時間ＴＢとの比に基づいて、レリーズ釦２２の全押し操作が行われる前に取得された画像の再生時間ＳＡ、及び全押し操作が行われた後に取得された画像の再生時間ＳＢを設定する。なお、全スロー再生時間をＴＳＳとする。
【００２８】
例えば、図４（Ａ）に示すように、ＴＡ：ＴＢ≒１：１であった場合には、ＳＡ：ＳＢ≒１：１になるようにスロー再生する。この結果は、従来と同じである。一方、図４（Ｂ）に示すように、ＴＡ：ＴＢ≒４：１であった場合には、ＳＡ：ＳＢ≒４：１になるようにスロー再生する。これにより、ユーザが所望する構図の画像がスロー再生される確率を高めることができ、画像確認の手間が増えてしまうことを防止できる。
【００２９】
図５は、本実施形態の撮像装置１におけるパスト連写モードにより取得された画像の再生時の流れを示すフローチャートである。なお、画像に付帯されるタグ情報には、撮影時刻、撮影時のフレームレート、レリーズ釦２２の全押し操作が行われる前の撮影時間ＴＡ、レリーズ釦２２の全押し操作が行われた後の撮影時間ＴＢ、及びレリーズ釦２２の全押し操作が行われる前後に取得された画像を区別するフラグ等が記録されている。
【００３０】
ステップＳ１０１は、記録媒体１１から画像等を読み出す処理である。例えば、制御部７は、記録媒体１１から画像及びタグ情報を読み出す。
【００３１】
ステップＳ１０２は、全スロー再生時間ＴＳＳを設定する処理である。例えば、制御部７は、ステップＳ１０１で読み出した撮影時のフレームレート、レリーズ釦２２の全押し操作が行われる前の撮影時間ＴＡ、レリーズ釦２２の全押し操作が行われた後の撮影時間ＴＢ、画像解析により求められる被写体速度情報等に基づいて、全スロー再生時間ＴＳＳを設定する。
【００３２】
ステップＳ１０３は、レリーズ釦２２の全押し操作が行われる前の撮影時間ＴＡと、レリーズ釦２２の全押し操作が行われた後の撮影時間ＴＢとの比を算出する処理である。
【００３３】
ステップＳ１０４は、レリーズ釦２２の全押し操作が行われる前に取得された画像のスロー再生時間ＳＡ、及び全押し操作が行われた後に取得された画像のスロー再生時間ＳＢを算出する処理である。例えば、制御部７は、ステップＳ１０２で設定した全スロー再生時間ＴＳＳを、ステップＳ１０３で算出した比に配分する。レリーズ釦２２の全押し操作が行われる前に取得された画像のスロー再生時間ＳＡは、ＳＡ＝ＴＳＳ×ＴＡ／（ＴＡ＋ＴＢ）と表される。また、全押し操作が行われた後に取得された画像のスロー再生時間ＳＢは、ＳＢ＝ＴＳＳ×ＴＢ／（ＴＡ＋ＴＢ）と表される。
【００３４】
ステップＳ１０５は、レリーズ釦２２の全押し操作が行われた前後に取得された画像を抽出する処理である。抽出部２１は、撮影時刻、レリーズ釦２２の全押し操作が行われる前後に取得された画像を区別するフラグ、スロー再生時のフレームレート、及びステップＳ１０４で算出したスロー再生時間ＳＡに基づいて、ステップＳ１０１で読み出した画像から、スロー再生時間ＳＡ中に再生する画像を抽出する。また、抽出部２１は、同様に、ステップＳ１０１で読み出した画像から、スロー再生時間ＳＢ中に再生する画像を抽出する。その後、抽出部２１は、抽出した画像を時系列に並べる。
【００３５】
ステップＳ１０６は、再生する処理である。例えば、まず、制御部７は、ステップＳ１０１で読み出した画像から、ステップＳ１０５で抽出された画像の撮影時刻よりも前の撮影時刻となる画像を抽出し、時系列に並べる。表示部８は、これらの画像を早送り再生してから、ステップＳ１０５で時系列に並べられた画像をスロー再生する。そして、制御部７は、上記で表示された画像を除く、残りの画像を抽出し、時系列に並べる。表示部８は、これらの画像を早送り再生する。
【００３６】
以上説明したように、本実施形態の撮像装置１は、レリーズ釦２２の全押し操作が行われた前後に取得された画像のうち、レリーズ釦２２の全押し操作が行われる前に取得された画像の再生時間と、全押し操作が行われた後に取得された画像の再生時間との比が、レリーズ釦２２の全押し操作が行われる前の撮影時間と、レリーズ釦２２の全押し操作が行われた後の撮影時間との比になるように、スロー再生する。
【００３７】
そのため、本実施形態の撮像装置１によれば、ユーザが所望する構図の画像がスロー再生される確率を高めることができ、画像確認に要する手間を軽減することができる。
【００３８】
（実施形態の補足）
本実施形態の図３及び図４における撮影時間及び再生時間は、おおよその時間を示したものであり、左右方向の長さ（時間）は、厳密ではない。
【００３９】
本実施形態では、ステップＳ１０２において、制御部７により全スロー再生時間ＴＳＳを設定する例を示したが、これに限らない。例えば、ユーザから十字キー２３を介して、全スロー再生時間ＴＳＳの設定を受け付けても良い。
【００４０】
本実施形態では、ステップＳ１０６において、抽出部２１により抽出された画像をスロー再生し、残りの画像を早送り再生するとしたが、これに限らない。例えば、残りの画像をパスト連写モード時の撮影間隔と同一の間隔からなる再生間隔で再生しても良い。
【００４１】
本実施形態では、ステップＳ１０６において、パスト連写モードにより取得された全ての画像を再生する例を示したが、これに限らない。例えば、レリーズ釦２２の全押し操作が行われた前後に取得された画像のみを再生しても良い。これにより、さらに画像確認に要する時間を短縮することができる。
【００４２】
本実施形態では、撮像装置の例を示したが、これに限らない。例えば、本実施形態におけるスロー再生する機能を備える画像再生装置でも良い。
【符号の説明】
【００４３】
１…撮像装置、３…撮像素子、７…制御部、８…表示部、９…操作部、２１…抽出部、２２…レリーズ釦、２３…十字キー
【先行技術文献】
【特許文献】
【００４４】
【特許文献１】特開２０００−１２５１８３号公報
【図１】
2010192958.tif 000003
【図２】
2010192958.tif 000004
【図３】
2010192958.tif 000005
【図４】
2010192958.tif 000006
【図５】
2010192958.tif 000007